【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
複数キャリア構成に関するセル休止の表示を監視すること、前記複数キャリア構成が第１のキャリアグループと第２のキャリアグループとを含み、
前記第１のキャリアグループが、第１の基地局と関連付けられ、一次キャリアだけ、あるいは前記一次キャリアと１つまたは複数の二次キャリアを含む二次キャリアの第１のセットと、を含み、
前記第２のキャリアグループが、第２の基地局と関連付けられ、１つまたは複数の二次キャリアを含む二次キャリアの第２のセットを含む、と、
前記監視することに基づいて、二次キャリアの前記第１のセットまたは二次キャリアの前記第２のセットのうちの少なくとも１つからの１つまたは複数の二次キャリアが休止であるかどうかを決定することと、
前記少なくとも１つの二次キャリアが非休止であった少なくとも１つの時間期間の間の前記少なくとも１つの二次キャリアのチャネル測定値に基づいてチャネル状態情報（ＣＳＩ）を報告することと、
を備える、ワイヤレス通信の方法。
【請求項２】
前記決定することが、
受信されたセルモードインジケータに基づいて、二次キャリアの前記第１のセットまたは二次キャリアの前記第２のセットのうちの少なくとも１つからの二次キャリアが休止であると決定することを備える、請求項１に記載の方法。
【請求項３】
前記決定することが、
セルモードインジケータの不存在に基づいて、二次キャリアの前記第１のセットまたは二次キャリアの前記第２のセットのうちの少なくとも１つからの二次キャリアが休止であると決定することを備える、請求項１に記載の方法。
【請求項４】
前記監視することが、
二次キャリアの前記第１のセットからの前記１つまたは複数の二次キャリアに関連付けられるセルモードインジケータに関する前記第１のキャリアグループの前記一次キャリアを監視することを備える、請求項１に記載の方法。
【請求項５】
前記監視することが、
二次キャリアの前記第１のセットの前記１つまたは複数の二次キャリアに関連付けられるセルモードインジケータに関する前記第１のキャリアグループからの前記１つまたは複数の二次キャリアを監視することを備える、請求項１に記載の方法。
【請求項６】
前記監視することが、セル休止の前記表示を備えたダウンリンク制御情報（ＤＣＩ）に関する所定の時間間隔で前記第１のキャリアグループの少なくとも第１のキャリアとおよび前記第２のキャリアグループの少なくとも第２のキャリアとの１つまたは複数の探索空間を監視することを備える、請求項１に記載の方法。
【請求項７】
前記複数キャリア構成に関するセル休止の前記表示を監視することが、二次キャリアの前記第１および前記第２のセットの二次キャリアのアクティブ化状態に基づく、請求項１に記載の方法。
【請求項８】
前記１つまたは複数の二次キャリアに関連付けられるセル休止の表示を受信すること
をさらに備え、
前記決定することが、前記１つまたは複数の二次キャリアが所定の時間期間にわたって休止であると決定することを備える、
請求項１に記載の方法。
【請求項９】
前記１つまたは複数の二次キャリアに関連付けられるセル休止の表示を受信すること
をさらに備え、
前記決定することが、次のセル休止表示が受信されるまで、前記１つまたは複数の二次キャリアが休止であると決定することを備える
請求項１に記載の方法。
【請求項１０】
前記少なくとも１つの二次キャリアが休止であると前記決定することに少なくとも部分的に基づいて、前記少なくとも１つの二次キャリアに関するチャネル状態情報（ＣＳＩ）報告構成を決定することと、
をさらに備える、請求項１に記載の方法。
【請求項１１】
前記少なくとも１つの二次キャリアが、前記第１の基地局または前記第２の基地局と関連付けられるかを決定することと、
前記決定された関連付けに基づいて、および前記ＣＳＩ報告構成に従って、前記第１の基地局または前記第２の基地局に対して、前記少なくとも１つの二次キャリアに関するＣＳＩ報告を実行することと、
をさらに備える、請求項１０に記載の方法。
【請求項１２】
前記ＣＳＩ報告構成が、
周期的ＣＳＩ報告もしくは非周期的ＣＳＩ報告のうちの１つもしくは複数、またはそれらの組合せに関して、前記少なくとも１つの二次キャリアに関するＣＳＩ報告を抑制することを備える、請求項１０に記載の方法。
【請求項１３】
前記ＣＳＩ報告構成が、前記少なくとも１つの時間期間からの前記チャネル測定値を平均化することをさらに備える、請求項１に記載の方法。
【請求項１４】
ワイヤレス通信のための装置であって、
複数キャリア構成に関するセル休止の表示を監視するための手段、前記複数キャリア構成が第１のキャリアグループと第２のキャリアグループとを備え、
前記第１のキャリアグループが、第１の基地局と関連付けられ、一次キャリアだけ、あるいは前記一次キャリアと１つまたは複数の二次キャリアを含む二次キャリアの第１のセットと、を含み、
前記第２のキャリアグループが、第２の基地局と関連付けられ、１つまたは複数の二次キャリアを含む二次キャリアの第２のセットを含む、と、
セル休止の前記表示に基づいて、二次キャリアの前記第１のセットまたは二次キャリアの前記第２のセットのうちの少なくとも１つからの１つまたは複数の二次キャリアが休止であるかどうかを決定するための手段と、
前記少なくとも１つの二次キャリアが非休止であった少なくとも１つの時間期間の間の前記少なくとも１つの二次キャリアのチャネル測定値に基づいてチャネル状態情報（ＣＳＩ）を報告するための手段と、
を備える、ワイヤレス通信のための装置。
【請求項１５】
実行されると、コンピュータに請求項１乃至１３のいずれかにしたがった方法を実行させるプログラムコードを備えるコンピュータ可読媒体を備える、コンピュータプログラム製品。
【手続補正２】
【補正対象書類名】明細書
【補正対象項目名】０１６９
【補正方法】変更
【補正の内容】
【０１６９】
[0183]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００規格、ＩＳ−９５規格、およびＩＳ−８５６規格を包含する。ＩＳ−２０００  Ｒｅｌｅａｓｅ０およびＡは、一般的に、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットエータ（ＨＲＰＤ：High Rate Packet Data）などと呼ばれる。ＵＴＲＡは、広帯域ＣＤＭＡ（ＷＣＤＭＡ（登録商標）：Wideband CDMA）とＣＤＭＡの他の変形形態とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ（登録商標）：Global System for Mobile Communications）などの無線技術を実装することができる。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）（登録商標）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Gen
eration Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書で説明されている。本明細書で説明した技法は、上述のシステムおよび無線技術、ならびに他のシステムおよび無線技術のために使用され得る。ただし、上の説明では、例としてＬＴＥシステムについて説明し、上の説明の大部分においてＬＴＥ用語が使用されるが、本技法はＬＴＥ適用例以外に適用可能である。
以下に本願発明の当初の特許請求の範囲に記載された発明を付記する。
［Ｃ１］ワイヤレス通信の方法であって、複数キャリア構成に関するセル休止の表示を監視すること、前記複数キャリア構成が第１のキャリアグループと第２のキャリアグループとを含む、と、前記第１のキャリアグループが、第１の基地局と関連付けられ、一次キャリアだけ、あるいは前記一次キャリアと１つまたは複数の二次キャリアを含む二次キャリアの第１のセットと、を含むことと、前記第２のキャリアグループが、第２の基地局と関連付けられ、１つまたは複数の二次キャリアを含む二次キャリアの第２のセットを含むことと、前記監視することに基づいて、二次キャリアの前記第１のセットまたは二次キャリアの前記第２のセットのうちの少なくとも１つからの１つまたは複数の二次キャリアが休止であるかどうかを決定することと、を備える、ワイヤレス通信の方法。
［Ｃ２］前記決定することが、受信されたセルモードインジケータに基づいて、二次キャリアの前記第１のセットまたは二次キャリアの前記第２のセットのうちの少なくとも１つからの二次キャリアが休止であると決定することを備える、Ｃ１に記載の方法。
［Ｃ３］前記決定することが、セルモードインジケータの不存在に基づいて、二次キャリアの前記第１のセットまたは二次キャリアの前記第２のセットのうちの少なくとも１つからの二次キャリアが休止であると決定することを備える、Ｃ１に記載の方法。
［Ｃ４］前記監視することが、二次キャリアの前記第１のセットからの前記１つまたは複数の二次キャリアに関連付けられるセルモードインジケータに関する前記第１のキャリアグループの前記一次キャリアを監視することを備える、Ｃ１に記載の方法。
［Ｃ５］前記監視することが、二次キャリアの前記第１のセットの前記１つまたは複数の二次キャリアに関連付けられるセルモードインジケータに関する前記第１のキャリアグループからの前記１つまたは複数の二次キャリアを監視することを備える、Ｃ１に記載の方法。
［Ｃ６］前記二次キャリアグループが特殊二次キャリアを備え、前記監視することが、二次キャリアの前記第２のセットの前記１つまたは複数の二次キャリアに関連付けられるセルモードインジケータに関する前記特殊二次キャリアを監視すること、を備える、Ｃ１に記載の方法。
［Ｃ７］前記二次キャリアグループが特殊二次キャリアを備え、前記監視することが、二次キャリアの前記第２のセットの前記１つまたは複数の二次キャリアに関連するセルモードインジケータに関する二次キャリアの前記第２のセットの前記１つまたは複数の二次キャリアを監視することを備える、Ｃ１に記載の方法。
［Ｃ８］前記監視することが、セル休止の前記表示を備えたダウンリンク制御情報（ＤＣＩ）に関する所定の時間間隔で前記第１のキャリアグループの少なくとも第１のキャリアとおよび前記第２のキャリアグループの少なくとも第２のキャリアとの１つまたは複数の探索空間を監視することを備える、Ｃ１に記載の方法。
［Ｃ９］前記複数キャリア構成に関するセル休止の前記表示を監視することが、二次キャリアの前記第１および前記第２のセットの二次キャリアのアクティブ化状態に基づく、Ｃ１に記載の方法。
［Ｃ１０］前記１つまたは複数の二次キャリアに関連付けられるセル休止の表示を受信することをさらに備え、前記決定することが、前記１つまたは複数の二次キャリアが所定の時間期間にわたって休止であると決定することを備える、Ｃ１に記載の方法。
［Ｃ１１］前記１つまたは複数の二次キャリアに関連付けられるセル休止の表示を受信することをさらに備え、前記決定することが、次のセル休止表示が受信されるまで、前記１つまたは複数の二次キャリアが休止であると決定することを備えるＣ１に記載の方法。
［Ｃ１２］ワイヤレス通信の方法であって、少なくとも１つの二次キャリアが複数キャリア構成で動作するＵＥにおいて休止であると決定すること、前記複数キャリア構成が第１のキャリアグループと第２のキャリアグループとを備える、と、前記第１のキャリアグループが、第１の基地局と関連付けられ、一次キャリアだけ、あるいは前記一次キャリアと１つまたは複数の二次キャリアを含む二次キャリアの第１のセットと、を含むことと、前記第２のキャリアグループが、第２の基地局と関連付けられ、１つまたは複数の二次キャリアを含む二次キャリアの第２のセットを含むことと、前記少なくとも１つの二次キャリアが休止であると前記決定することに少なくとも部分的に基づいて、前記少なくとも１つの二次キャリアに関するチャネル状態情報（ＣＳＩ）報告構成を決定することと、を備える、ワイヤレス通信の方法。
［Ｃ１３］前記少なくとも１つの二次キャリアが、前記第１の基地局または前記第２の基地局と関連付けられるかを決定することと、前記決定された関連付けに基づいて、および前記ＣＳＩ報告構成に従って、前記第１の基地局または前記第２の基地局に対して、前記少なくとも１つの二次キャリアに関するＣＳＩ報告を実行することと、をさらに備える、Ｃ１２に記載の方法。
［Ｃ１４］前記ＣＳＩ報告構成が、周期的ＣＳＩ報告もしくは非周期的ＣＳＩ報告のうちの１つもしくは複数、またはそれらの組合せに関して、前記少なくとも１つの二次キャリアに関するＣＳＩ報告を抑制することを備える、Ｃ１２に記載の方法。
［Ｃ１５］前記ＣＳＩ報告構成が、前記少なくとも１つの二次キャリアが非休止であった少なくとも１つの時間期間の間の前記少なくとも１つの二次キャリアのチャネル測定値に基づいてＣＳＩを報告することを備える、Ｃ１２に記載の方法。
［Ｃ１６］前記ＣＳＩ報告構成が、前記少なくとも１つの時間期間からの前記チャネル測定値を平均化することをさらに備える、Ｃ１５に記載の方法。
［Ｃ１７］前記少なくとも１つの二次キャリアに関するＣＳＩ基準信号（ＣＳＩ−ＲＳ）測定構成を決定することと、前記ＣＳＩ−ＲＳ測定構成に従って、前記少なくとも１つの二次キャリアに関するＣＳＩ−ＲＳ測定を実行することと、前記ＣＳＩ−ＲＳ測定値と前記決定されたＣＳＩ報告構成とに基づいて、ＣＳＩを報告することと、をさらに備える、Ｃ１２に記載の方法。
［Ｃ１８］前記報告されたＣＳＩが、前記少なくとも１つの二次キャリアのチャネル測定値、前記少なくとも１つの二次キャリアの干渉測定値のうちの１つもしくは複数、またはそれらの組合せを備える、Ｃ１７に記載の方法。
［Ｃ１９］ワイヤレス通信のための装置であって、複数キャリア構成に関するセル休止の表示を監視するための手段、前記複数キャリア構成が第１のキャリアグループと第２のキャリアグループとを備える、と、前記第１のキャリアグループが、第１の基地局と関連付けられ、一次キャリアだけ、あるいは前記一次キャリアと１つまたは複数の二次キャリアを含む二次キャリアの第１のセットと、を含むことと、前記第２のキャリアグループが、第２の基地局と関連付けられ、１つまたは複数の二次キャリアを含む二次キャリアの第２のセットを含むことと、セル休止の前記表示に基づいて、二次キャリアの前記第１のセットまたは二次キャリアの前記第２のセットのうちの少なくとも１つからの１つまたは複数の二次キャリアが休止であるかどうかを決定するための手段と、を備える、ワイヤレス通信のための装置。
［Ｃ２０］前記決定するための手段が、セル休止の前記表示内のセルモードインジケータの存在または不存在に基づいて、前記１つまたは複数の二次キャリアが休止であるかどうかを決定する、Ｃ１９に記載の装置。
［Ｃ２１］前記監視するための手段が、二次キャリアの前記第１のセットからの前記１つまたは複数の二次キャリアに関連付けられるセルモードインジケータに関する前記第１のキャリアグループの前記一次キャリアを監視する、Ｃ１９に記載の装置。
［Ｃ２２］前記監視するための手段が、二次キャリアの前記第１のセットの前記１つまたは複数の二次キャリアに関連付けられるセルモードインジケータに関する前記第１のキャリアグループからの前記１つまたは複数の二次キャリアを監視する、Ｃ１９に記載の装置。
［Ｃ２３］前記二次キャリアグループが特殊二次キャリアを備え、前記監視するための手段が、二次キャリアの前記第２のセットの前記１つまたは複数の二次キャリアに関連付けられるセルモードインジケータに関する前記特殊二次キャリアを監視する、Ｃ１９に記載の装置。
［Ｃ２４］前記二次キャリアグループが特殊二次キャリアを備え、前記監視するための手段が、二次キャリアの前記第２のセットの前記１つまたは複数の二次キャリアに関連付けられるセルモードインジケータに関する二次キャリアの前記第２のセットの前記１つまたは複数の二次キャリアを監視する、Ｃ１９に記載の装置。
［Ｃ２５］前記監視するための手段が、セル休止の前記表示を備えたダウンリンク制御情報（ＤＣＩ）に関する所定の時間間隔で前記第１のキャリアグループの少なくとも第１のキャリアとおよび前記第２のキャリアグループの少なくとも第２のキャリアとの１つまたは複数の探索空間を監視する、Ｃ１９に記載の装置。
［Ｃ２６］前記監視するための手段が、二次キャリアの前記第１および前記第２のセットの二次キャリアのアクティブ化状態に基づいて前記表示を監視する、Ｃ１９に記載の装置。
［Ｃ２７］ワイヤレス通信のための装置であって、少なくとも１つの二次キャリアが複数キャリア構成に関して休止であると決定するための手段、前記複数キャリア構成が、第１のキャリアグループと第２のキャリアグループとを備える、と、前記第１のキャリアグループが、第１の基地局と関連付けられ、一次キャリアだけ、あるいは前記一次キャリアと１つまたは複数の二次キャリアを含む二次キャリアの第１のセットと、を含むことと、前記第２のキャリアグループが、第２の基地局と関連付けられ、１つまたは複数の二次キャリアを含む二次キャリアの第２のセットを含むことと、前記少なくとも１つの二次キャリアが休止であると前記決定することに少なくとも部分的に基づいて、前記少なくとも１つの二次キャリアに関するチャネル状態情報（ＣＳＩ）報告構成を決定するための手段と、を備える、ワイヤレス通信のための装置。
［Ｃ２８］前記少なくとも１つの二次キャリアが前記第１の基地局と、または前記第２の基地局と関連付けられるかを決定するための手段と、前記決定された関連付けに基づいて、および前記ＣＳＩ報告構成に従って、前記第１の基地局または前記第２の基地局に対する、前記少なくとも１つの二次キャリアに関するＣＳＩ報告を実行するための手段と、をさらに備える、Ｃ２７に記載の装置。
［Ｃ２９］周期的ＣＳＩ報告もしくは非周期的ＣＳＩ報告のうちの１つもしくは複数、またはそれらの組合せに関して、前記少なくとも１つの二次キャリアに関するＣＳＩ報告を抑制するための手段をさらに備える、Ｃ２７に記載の装置。
［Ｃ３０］前記少なくとも１つの二次キャリアが非休止であった少なくとも１つの時間期間の間の前記少なくとも１つの二次キャリアのチャネル測定値に基づいてＣＳＩを報告するための手段をさらに備える、Ｃ２７に記載の装置。